(57)【特許請求の範囲】
【請求項１】
噴流調整器ケーシング（２）を備えた噴流調整器（１）であって、この噴流調整器（１）のケーシング内部に噴流調整装置（４）が設けられており、該噴流調整装置（４）が、ほぼ貫流横断面に亘って延びる複数の貫流開口（１１）を有していて、これらの貫流開口（１１）が、噴流調整器ケーシング（２）の周方向で見て又は噴流調整器（１）の貫流方向（Ｐｆ１）で見て互いにずらして配置されており、前記噴流調整装置（４）が、前記複数の貫流開口（１１）を有する少なくとも１つの組込部分（９，１０，２３）を有している形式のものにおいて、
複数の組込部分（９，１０，２３）が設けられており、これらの組込部分は貫流方向（Ｐｆ１）で相前後して噴流調整器ケーシング（２）内に組み込まれており、前記組込部分（９，１０，２３）は、外側に環状に延びる支持リング（１２）と、この支持リング（１２）の内側に結合され、かつ貫流横断面に亘って連続的に延びる複数のウエブ（１３）とを有しており、前記複数の組込部分（９，１０，２３）の、互いに間隔を保ってほぼ平行に延びるウエブ（１３）が単一方向に配列された複数の貫流開口（１１）を制限しており、噴流調整器ケーシング（２）の外周面で孔付きプレート（３）と噴流調整装置（４）との間の領域内に開口する換気用開口（２０）が設けられていることを特徴とする、噴流調整器。
【請求項２】
組込部分（９，１０，２３）が網目構造を形成するために周方向で互いにずらして配置されている、請求項１記載の噴流調整器。
【請求項３】
一方では噴流調整器ケーシング（２）に、他方では組込部分（９，１０，２３）に、組込部分（９，１０，２３）を正しい位置で組み付けるための位置決め組み付け用成形部若しくは一体成形部が設けられており、このために有利な形式で組込部分（９，１０，２３）の外側に複数の突起（１７）が設けられていて、噴流調整器ケーシング（２）の内側に、流入端部に向かって開放する溝状の複数の組込ガイド（１９）が設けられている、請求項１又は２記載の噴流調整器。
【請求項４】
噴流調整器ケーシング（２）及び組込部分（９，１０，２３）に設けられた位置決め組み付け用成形部若しくは一体成形部が、種々異なって、それぞれ１つの組込部分（９，１０，２３）を正しく位置決めして組み付けるために適合して構成されている、請求項３記載の噴流調整器。
【請求項５】
組込部分（９，１０，２３）と、支持リング（１２）とウエブ（１３）並びに突起（１７）とが、一体的に射出成形部分特にプラスチック射出成形部分として構成されている、請求項３又は４記載の噴流調整器。
【請求項６】
ウエブ（１３）及び組込部分（９，１０）の幅寸法が、その貫流方向（Ｐｆ１）で見た高さ寸法よりも小さい、請求項１から５までのいずれか１項記載の噴流調整器。
【請求項７】
組込部分（９，１０，２３）のウエブ（１３）が、より大きい横断面を有する流入側の区分（１４）と、この流入側の区分（１４）に接続され、かつこの区分（１４）に対して減少された横断面を有する区分（１５）とを備えている、請求項１から６までのいずれか１項記載の噴流調整器。
【請求項８】
流入側で第１の組込部分（９）のウエブ（１３）の流入側の区分（１４）が切り妻屋根状に形成されており、この流入側の区分（１４）に続いて、横断面拡張部を介して流出側の区分（１５）が設けられており、この流出側の区分（１５）は、有利にはほぼ方形で流出側が丸味を付けられている、請求項１から７までのいずれか１項記載の噴流調整器。
【請求項９】
流入側で第１の組込部分（９）に後置された後続の組込部分（１０）の流入側の区分（１４）が丸味を付けられた流入側を有しており、この流入側の区分（１４）に続いて有利な横断面拡張部を介して流出側の区分が設けられており、この流出側の区分は、特に横断面がほぼ方形で流出側が丸味を付けられている、請求項１から８までのいずれか１項記載の噴流調整器。
【請求項１０】
組込部分（９，１０，２３）の支持リング（１２）の、貫流方向に配列された高さが、ウエブ（１３）の高さよりも大きく構成されており、該ウエブ（１３）が、支持リング（１２）の外側輪郭内に配置されている、請求項１から９までのいずれか１項記載の噴流調整器。
【請求項１１】
貫流方向で（Ｐｆ１）で相前後して配置され、有利には互いに直接的に隣接する少なくとも２つの組込部分（９，１０，２３）が設けられている、請求項１から１０までのいずれか１項記載の噴流調整器。
【請求項１２】
噴流調整装置（４）の前方に噴流分解装置が接続されており、該噴流分解装置は少なくとも噴流調整器ケーシング（２）と解除可能に係止可能な孔付きプレート（３）を有している、請求項１から１１までのいずれか１項記載の噴流調整器。
【請求項１３】
前記孔付きプレート（３）が、流出側で後続する組込部分（９）を負荷するようになっており、このために孔付きプレート（３）が流出側で、有利には第１の組込部分（９）まで延び、かつこの第１の組込部分（９）を負荷するガイドウエブ又はこれと類似のガイド突起（１８）を有している、請求項１２記載の噴流調整器。
【請求項１４】
噴流調整器（４）の流出側で後方に整流装置（５）が接続されており、該整流装置（５）は円セグメント状又はハニカム状の複数の貫流開口（２１）を有しており、これらの貫流開口（２１）の開口幅は、貫流方向で見た高さよりも小さい、請求項１から１３までのいずれか１項記載の噴流調整器。
【請求項１５】
整流装置（５）が、噴流調整器ケーシング（２）と一体的に結合されていて、この噴流調整器ケーシング（２）の出口側端部に配置されている、請求項１から１４までのいずれか１項記載の噴流調整器。
【請求項１６】
隣接し合う貫流開口（２１）が互いに分離されていて、整流装置（５）の、ほぼ貫流方向（Ｐｆ１）に延びるガイド壁部（２２）がそれぞれ、このガイド壁（２２）によって制限された貫流開口（２１）の孔直径の内法寸法の一部に相当する壁厚を有しており、ガイド壁（２２）の高さ（ｈ）と整流装置（５）の全直径Ｄとの間の比ｈ：Ｄが１より小さく、有利には１：２より小さく設定されている、請求項１４又は１５記載の噴流調整器。
【請求項１７】
組込部分（２３）が、支持リング（１２）とウエブ（１３）並びに突起（１７）と共に一体的な材料として、鍛造又は冷間成形によって製造されている、請求項３又は４記載の噴流調整器。
【請求項１８】
組込部分（２３）が、１つの金属薄板プレートから打ち抜き工程及び／又は変形工程によって製造されている、請求項１７記載の噴流調整器。
【請求項１９】
打ち抜き成形部分及び／又は変形成形部分として構成された少なくとも１つの組込部分（２３）がウエブ（１３）を有していて、該ウエブ（１３）が流出方向で拡張された外側輪郭を有している、請求項１７又は１８記載の噴流調整器。
【請求項２０】
ウエブ（１３）がアーチ状又は屋根状の外側輪郭を有している、請求項１７から１９までのいずれか１項記載の噴流調整器。
【請求項２１】
流出方向で後続する組込部分（２３）に設けられたアーチ状又は屋根状のウエブ（１３）のウエブプロフィールの傾斜角度が減少している、請求項１８から２０までのいずれか１項記載の噴流調整器。
【請求項２２】
金属薄板プレートが真鍮又は有利にはステンレス鋼より成っている、請求項１８から２１までのいずれか１項記載の噴流調整器。
【請求項２３】
複数の突起（１７）は、金属薄板プレートが環状の円形リングに変形されない区分により形成されている、請求項１８から２２までのいずれか１項記載の噴流調整器。
【発明の詳細な説明】
【０００１】
本発明は、噴流調整器ケーシングを備えた噴流調整器（Strahlregler）であって、この噴流調整器のケーシング内部に噴流調整装置が設けられており、該噴流調整装置が、ほぼ貫流横断面に亘って延びる複数の貫流開口を有していて、これらの貫流開口が、噴流調整器ケーシングの周方向で見て又は噴流調整器の貫流方向で見て互いにずらして配置されており、前記噴流調整装置が、前記複数の貫流開口を有する少なくとも１つの組込部分を有している形式のものに関する。
流出側で少なくとも１つの金属フィルタを有していて、この金属フィルタの前方に、流れを減少させるためだけに複数の孔付きプレートが接続されている形式の噴流調整器は既に公知である（アメリカ合衆国特許第４１１９２７６号明細書参照）。このような形式の金属フィルタは、例えばアメリカ合衆国特許第４１１９２７５号に記載されているように、石灰が沈着する傾向がある。
【０００２】
ドイツ連邦共和国特許第１９６４２０５５号明細書によれば、心地よい柔軟な、しかも飛び散らない噴射水流を生ぜしめるために、衛生設備の流出水栓に組込可能である。この公知の噴流調整器は、孔付きプレートを有しており、この孔付きプレートは、流入する噴射水流を多数の個別噴流に分割し、これらの噴流は、次いで場合によっては空気と混合された後で、噴流調整装置内で再び均一な全噴流にまとめられるようになっている。
【０００３】
この場合、この公知の噴流調整器のスリーブ状の噴流調整器ケーシングは、周方向セグメントとして構成された少なくとも２つのスリーブ部分から組み立てられている。噴流調整装置は、貫流方向に対して横方向に延びるピンを有しており、これらのピンは、プラスチック射出成形部分として製造された少なくとも１つの周方向セグメントの内側に突き出している。
【０００４】
ドイツ連邦共和国実用新案第２９７１８７２８号明細書には、噴流調整器ケーシングを備えた噴流調整器で、ケーシング内部に噴流調整装置が設けられているものについて記載されている。噴流調整装置は、貫流横断面に亘って延びる複数の貫流開口を有しており、これらの貫流開口は、噴流調整器ケーシングの周方向で又は噴流調整器の貫流方向で互いにずらして配置されている。この場合、公知の噴流調整器の噴流調整装置は、複数の貫流開口を有する組込部分を有しており、この組込部分は、円筒形区分を形成する少なくとも２つのスリーブ部分より成っている。これらのスリーブ部分は、１つの円筒形のスリーブに接合してまとめられている。このスリーブ部分のそれぞれにはピン区分が設けられていて、こられのピン区分は、スリーブ部分を接合する際に１対形式で互いに整列されていて、衝突体を形成している。
【０００５】
上記ドイツ連邦共和国実用新案第２９７１８７２８号明細書により公知の噴流調整器において使用された、円筒形区分を形成し、かつピン区分を有するスリーブ部分を備えた組込部分の構成も、公知の噴流調整器の構成可能性及びひいては組込可能性を制限し、しかも高価な射出成形工具を必要とする。
【０００６】
従って本発明の課題は特に、冒頭に述べた形式の噴流調整器を改良して、安価な費用で、従来の簡単な製造技術によって製造することもでき、しかも噴流調整装置に石灰が沈着する傾向が避けられるようなものを提供することである。
【０００７】
この課題を解決した本発明によれば、冒頭に述べた形式の噴流調整器において、複数の組込部分が設けられており、これらの組込部分は貫流方向で相前後して噴流調整器ケーシング内に組み込まれており、前記組込部分は、外側に環状に延びる支持リングと、この支持リングの内側に結合され、かつ貫流横断面に亘って連続的に延びる複数のウエブとを有しており、前記複数の組込部分の、互いに間隔を保ってほぼ平行に延びるウエブが単一方向に配列された複数の貫流開口を制限している。
【０００８】
本発明による噴流調整器は主として、貫流方向で相前後して噴流調整器ケーシング内に組込可能な多数の組込部分によって形成された噴流調整装置を有している。各組込部分は、貫流横断面に亘って延びる、単一方向性の制限された多数の貫流開口を有している。この場合、隣接し合う組込部分の貫流開口は、噴流調整器ケーシングの周方向で、又は噴流調整器の貫流方向で互いにずらして配置されている。
【０００９】
貫流開口が周方向で互いにずらして配置されていれば、隣接し合う組込部分は、噴流調整器の不都合な石灰沈着を促進する従来の金属製フィルタを必要とすることなしに、網目（メッシュ）構造を形成する。これに対して貫流開口が、貫流方向で互いにずらして配置されていれば、ほぼ同じ方向に配列された、隣接し合う組込部分の貫流開口は、カスケード（kaskade）状の構造を形成する。本発明に従って設けられた組込部分を用いて、流過速度を強く制動し、心地よい柔軟な噴射水流を形成する複雑なメッシュ状又はカスケード状の構造が得られるにも拘わらず、各組込部分は、比較的簡単に構成され、安価な費用で簡単な従来の製造技術を用いて製造できる。
【００１０】
この場合、本発明の特に簡単かつ有利な実施例によれば、組込部分は網目構造を形成するために、周方向で互いにずらして配置されている。
【００１２】
貫流方向を制限するウエブの撓みを阻止するために、組込部分が、ほぼ平行に延びるウエブに対して垂直に配置された、殊に直径方向に延びる少なくとも１つの支持ウエブを有していて、この支持ウエブが有利な形式でウエブに結合されていれば、有利である。
【００１３】
隣接し合う組込部分の貫流開口を、網目構造に対してできるだけ垂直に、又はカスケード状の構造に対してできるだけ単一方向で配置することができるようにするために、本発明の実施態様によれば、一方では噴流調整器ケーシングに、他方では組込部分に、組込部分を正しい位置で組み付けるための位置決め組み付け用成形部若しくは一体成形部が設けられており、このために有利な形式で組込部分の外側に複数の突起が設けられていて、噴流調整器ケーシングの内側に、流入端部に向かって開放する溝状の複数の組込ガイドが設けられている。
【００１４】
この場合、噴流調整器ケーシング及び組込部分に設けられた位置決め組み付け用成形部若しくは一体成形部が、種々異なって、それぞれ１つの組込部分を正しく位置決めして組み付けるために適合して構成されていれば、本発明による噴流調整器を組み立てる際に、個別の、場合によっては種々異なる構成の個別部分を正確に互いに上下に連続して配置することができる。
【００１５】
本発明による噴流調整器の噴流調整装置に流入する個別噴流を、この噴流調整装置内で再び均一な全噴流に形成することができるようにするために、有利には、ウエブ及び組込部分の幅寸法が、その貫流方向で見た高さ寸法よりも小さく設計されている。幅寸法よりも高さ寸法が大きく構成されたウエブ間で、噴射水流は良好にガイドされ均一化される。
【００１６】
本発明による噴流調整器の組込部分は、特に簡単に射出成形部分として製造することができる。射出成形工具の分離面内に場合によっては存在するバリが不都合な雑音形成の原因とならないようにするために、組込部分のウエブが、より大きい横断面を有する流入側の区分と、この流入側の区分に接続され、かつこの区分に対して減少された横断面を有する区分とを備えていれば、有利である。これによって、射出成形工具の２つの型半部間の分離面は、ウエブの流入側の区分と流出側の区分との間の分離面内に正確に配置される。
【００１７】
流入側で第１の組込部分のウエブの流入側の区分が切り妻屋根状に形成されていて、この流入側の区分に続いて、横断面拡張部を介して流出側の区分が設けられており、この流出側の区分は、有利にはほぼ方形で流出側が丸味を付けられていれば、個別噴流は、本発明による噴流調整器の噴流調整装置内で特に良好に雑音なしで分割される。
【００１８】
また、流入側で第１の組込部分に後置された後続の組込部分の流入側の区分が丸味を付けられた流入側を有しており、この流入側の区分に続いて有利な横断面拡張部を介して流出側の区分が設けられており、この流出側の区分は、特に横断面がほぼ方形で流出側が丸味を付けられていれば、不都合な逆流が発生することなしに、水流に強い制動作用が働く。
【００１９】
組込部分の支持リングの、貫流方向に配列された高さが、ウエブ及び場合によっては設けられた支持ウエブの高さよりも大きく構成されており、ウエブ及び場合によっては支持ウエブが、支持リングの外側輪郭内に配置されていれば、隣接し合う組込部分のウエブは、必要であれば直ちにわずかな間隔を保つことができる。
【００２０】
貫流方向で相前後して配置され、有利には互いに直接的に隣接する少なくとも２つの組込部分が設けられていれば、特に有利である。
【００２１】
本発明による噴流調整器に流入する水流を良好に個別噴流に分割することができるようにするために、本発明の有利な実施態様によれば、噴流調整装置の前方に噴流分解装置が接続されており、該噴流分解装置は少なくとも噴流調整器ケーシングと解除可能に係止可能な孔付きプレートを有している。
【００２２】
前記孔付きプレートが、流出側で後続する組込部分を負荷するようになっており、このために孔付きプレートが流出側で、有利には第１の組込部分まで延び、かつこの第１の組込部分を負荷するガイドウエブ又はこれと類似のガイド突起を有していれば、本発明による噴流調整器の個別の構成部分は、確実かつしっかりとその位置で保持される。
【００２３】
また、噴流調整器の流出側で後方に整流装置（流れを整える装置）が接続されており、該整流装置は円セグメント（円のセグメント）状又はハニカム状の複数の貫流開口を有しており、これらの貫流開口の開口幅が、貫流方向で見た高さよりも小さく構成されていれば、本発明による噴流調整器内の良好な噴流形成及び噴射形成のために好都合である。
【００２４】
本発明による噴流調整器を、噴流調整器ケーシングのケーシング内部に存在する組込部分の意図的な破壊に対して保護すると同時に、乱暴な取り扱いに対して保護するために、整流装置が、噴流調整器ケーシングと一体的に結合されていて、この噴流調整器ケーシンの出口側端部に配置されていれば、有利である。
【００２５】
本発明による噴流調整器の組込部分は、簡単に製造可能な製造法によって、簡単な形式で製造することができる。本発明の実施態様によれば、組込部分が、支持リングとウエブ並びに場合によっては支持ウエブと突起と共に一体的な材料として、鍛造又は冷間成形によって製造されている。このような金属分として構成された組込部分は、プラスチック部分と比較して、高い機械的な形状安定性及び温度に対する高い耐性を有することを特徴としている。さらに、例えば高級鋼より製造された組込部分は、高い衛生的な要求が課せられる使用領域で使用することができる。
【００２６】
組込部分が、１つの金属薄板プレートから打ち抜き工程及び／又は変形工程によって製造されていれば、金属製の組込部分は、少数でも安価に製造することができる。金属薄板プレートから、１回の打ち抜き成形工程及び／又は変形工程によって製造される組込部分は、高い経済性を特徴としている。
【００２７】
孔付きプレート又はこれと類似の噴射分解装置から生ぜしめられる個別噴流を良好に制動することができるようにするためには、打ち抜き成形部分及び／又は変形成形部分として構成された少なくとも１つの組込部分がウエブを有していて、該ウエブが流出方向で拡張された外側輪郭を有していれば、有利である。この場合、ウエブは、アーチ状又は屋根状の外側輪郭を有している。アーチ状のウエブは、例えば円弧状又は楕円形に構成されていてよい。
【００２８】
１つの組込部分から別組込部分へと、個別噴流の速度を次第に強く制動することができるようにするために、流出方向で後続する組込部分に設けられたアーチ状又は屋根状のウエブのウエブプロフィールの傾斜角度が減少していれば、有利である。これによって、上側の１つ又は複数の組込部分に設けられたウエブは、後続の組込部分に設けられたウエブと比較して、より急勾配のウエブプロフィールの傾斜角度を有している。
【００２９】
金属薄板プレートが真鍮又は有利にはステンレス鋼より成っていれば有利である。この場合、組込部分を整列させるために、組込部分の支持リングに設けられた突起は、金属薄板プレートの変形されていない区分によって形成されることができる。
【００３０】
本発明の別の提案によれば、組み付け部分は、支持リング、ウエブ並びに場合によって支持ウエブ及び突起と一体的に、射出成形部分特にプラスチック射出成形部分として構成されている。
【００３１】
本発明のその他の特徴は、請求項並びに図面に関連して、本発明の実施例としての以下の説明により明らかである。本発明の実施例における個別の特徴は、単独でもまた幾つかの組み合わせでも実現可能である。
【００３２】
図面中、
図１には、縦断面図で噴流調整器が示されており、この噴流調整器の噴流調整装置は、噴流調整器ケーシング内に組込可能な複数の組込部分より形成されており、
図２には、図１に示した噴流調整器の流出側の端面側の平面図が示されており、
図３には、孔付きプレートとして構成された噴流調整装置が示されており、この場合、これらの孔付きプレートは、流出側及び流入側の端面側の平面図（図３ａ及び図３ｃ）、及び縦断面図（図３ｂ）が示されており、
図４には、図１及び図２に示した噴流調整器の噴流調整装置の、孔付きプレートに続く組込部分が示されており、
図５には、同様に縦断面図（図５ａ）並びに平面図（図５ｂ）で示した、図１及び図２による噴流調整器の後続の組込部分が示されており、
図６には、打ち抜き及び成形工程によって金属薄板から製造された組込部分の、流入端面側（図６ａ）の平面図、並びに縦断面図（図６ｂ）及び横断面図（図６ｃ）が示されており、この場合、流入端面側及び横断面の拡大した詳細図が図６ｄ及び図６ｅに示されており、
図７には、屋根状に曲げられたウエブの領域における金属製の組込部分の部分図が示されており、
図８には、円弧状に曲げられたウエブの領域における金属製の組込部分の部分部が示されている。
【００３３】
図１に示した噴流調整器１は、心地良く柔軟な(perlend-weichen)飛び散らない均一な噴射水流を生ぜしめるために、詳しく図示していない衛生設備の流出水栓に組み込まれる。
【００３４】
噴流調整器１は、スリーブ状の噴流調整器ケーシング２を有しており、そのケーシング内部に流過方向Ｐｆ１に、孔付き円板３として構成された噴流分解装置と、流出側に整流装置５とが設けられている。噴流調整器１のケーシング内部から汚れ粒子を遠ざけて、噴流調整器１の自由な流れが保証される運転が得られるようにするために、噴流調整器１に補助フィルタ６が前置接続されている。
【００３５】
孔付きプレート３のプレート面は、貫流方向Ｐｆ１に対して横方向に配列されている。この孔付きプレート３は、互いに間隔を保って配置された多数の貫流孔７を有しており、これらの貫流孔７は、流入側でそれぞれ１つの丸味を付けられた漏斗状の流入開口８を有している（図３ｂ、図３ｃ）。
【００３６】
噴流調整器１に流入する液体流は、孔付き円板３として構成された噴流分解装置内で、多数の個別噴流に分割される。次いで個別噴流は、後続の噴流調整装置４内で、心地良く柔軟で均一な全噴流に成形される。
【００３７】
このために、噴流調整装置４は、互いに直接隣接する組込部分９，１０を有しており、これらの組込部分９，１０は、貫流横断面に亘ってそれぞれほぼ、単一方向性に制限された貫流開口１１を有している。この場合、隣接し合う２つの組込部分９，１０の貫流開口１１は、貫流方向Ｐｆ１で互いにずらして配置され、それによってカスケード状の構造を形成している。
【００３８】
また、網目（メッシュ）構造が得られるように、組込部分９，１０を周方向で互いにずらして配置してもよい。この場合、各組込部分９，１０の貫流開口１１は、単一方向性つまり互いに平行に整列されているが、すべての組込部分９，１０を組み合わせた状態で見た場合に、ふるい又は格子状の構造が得られる。このようなふるい若しくは格子状又は図示の実施例ではカスケード状の構造によって、水の噴流は良好に制動され、次いで心地良く柔軟な全噴射として噴射され得る。
【００３９】
組込部分９，１０は、それぞれ１つの外側の支持リング１２と、この支持リング１２と内側で結合された、互いに間隔を保ってほぼ平行に延びるウエブ１３とを有しており、これらのウエブ１３間にそれぞれスリット状の貫流開口１１が形成されている。図４ａと図５ａとを比較すれば分かるように、ウエブ１３は、より大きい横断面を有する流入側の区分１４と、この区分１４に対して減少された横断面を備えた、この区分１４に続く流出側の区分１５を有している。この場合、プラスチック射出成形部分として構成された組込部分９，１０のウエブ１３の流入側と流出側との間の分離面は同時に、使用された射出成形工具の分離面をも形成する。これによって、そうでなければ雑音を発生する不都合な乱れを発生させる、流入側の、射出成形に制限された成形は避けられる。
【００４０】
図４にさらに詳しく示された流入側の第１の組込部分９のウエブの流入側の区分１４は、切り妻屋根の形状に構成されている。続いて、横断面拡大部を介して、横断面がほぼ方形で、流出側で丸味を付けられた区分１５が形成されている。図１で分かるように、孔付きプレート３の貫流孔７は、その中心線が流出側の後続のウエブ１３の中心線とほぼ軸方向で合致するように位置決めされている。
【００４１】
図５には、流入側で第１の組込部分９に後置された組込部分１０がさらに詳しく図示されている。この組込部分１０のウエブ１３は、流入側の区分１４を有しており、この流入側の区分１４は丸味を付けられた流入側を有している。続いて、横断面拡大部を介して、横断面がほぼ方形の区分１５が形成されている。この区分１５は流出側が同様に丸味を付けられている。これらの後続のウエブ層は、不都合な逆流を生ぜしめることなしに、水に抗する抵抗を高める。
【００４２】
図１により明らかなように、組込部分は流入側のケーシング端面側から一緒に組込ストッパ１６まで噴流調整器ケーシング２内に解除可能に組込ことができる。このために、組込部分９，１０の支持リング１２の外周面は、噴流調整器ケーシング２の内径の内法寸法に合致されている。組込部分９，１０を噴流調整器ケーシング２内に挿入した後で、孔付きプレート３も噴流調整器ケーシング２内に組み込まれ、ここで解除可能に係止される。
【００４３】
組込部分９，１０を互いに及び孔付きプレート３に対して正しい位置で確実に配置するために、一方では噴流調整器ケーシング２に、また他方では組込部分９，１０若しくは孔付きプレート３に、位置決め組み付け用成形部若しくは一体成形部が設けられている。このために組込部分９，１０及び孔付きプレート３は、ガイド突起１７若しくは１８を有しており、これらのガイド突起１７，１８は、ケーシング内径において流入側端部に向かって開放する溝状の組込ガイド１９内に係合する。
【００４４】
互いに反対側に配置されたこれらのガイド突起１７は、組込部分９，１０において半径方向で外方に突き出しているのに対して、孔付きプレート３に設けられたガイド突起１８は、貫流方向Ｐｆ１に突き出している。この場合、孔付きプレート３に設けられたガイド突起１８は場合によっては、孔付きプレート３がガイド突起１８で以て、後続の組込部分９を負荷して、付加的にその位置を固定する程度の長さに寸法設計されている。
【００４５】
図１、図４及び図５によれば、貫流方向Ｐｆ１に配列された組込部分９，１０の支持リング１２の高さは、ウエブ１３の高さよりも大きく、ウエブ１３は支持リング１２の外側輪郭内に位置しているので、ウエブ１３のすべての側が確実に環流されるようになっている。
【００４６】
噴流調整装置４内で再び心地良く柔軟な個別噴流を均一化するために、噴流調整装置４の下流側に整流装置５が接続されており、この整流装置５は、ハニカム（蜂の巣）状又はここでは円セグメント状の貫流開口２１を有している。この貫流開口２１の開口幅は、貫流方向Ｐｆ１における高さよりも小さい。整流装置５は、噴流調整器ケーシング２に一体的に接続されていて、このケーシング２の出口側端部に配置されており、この整流装置５は同時に破壊防止手段としても用いられる。
【００４７】
噴流調整器１は、換気式又は非換気式として構成されている。図示の実施例では換気式の噴流調整器として構成された、衛生設備の組込部分として噴流調整器ケーシングの外周面で換気用開口２０を有しており、この換気用開口２０は、孔付きプレート３と噴流調整装置４との間の領域内に開口している。
【００４８】
図１によれば、整流装置５の貫流開口２１が、ほぼ貫流方向Ｐｆ１に延びているガイド壁部２２によって分離されている。このガイド壁部２２は、このガイド壁部２２によって制限された貫流開口２１の内法直径の一部である壁厚を有している。整流装置５の良好な機能を維持するために、ガイド壁部２２の高さｈと整流装置５の全直径Ｄとの間の比ｈ：Ｄが１より小さく、特に１：２よりも小さい。
【００４９】
図６には、組込部分２３の種々異なる図面が示されている。この組込部分２３の機能は、図４及び図５に示した組込部分９，１０の機能に相当する。しかしながら図４及び図５に示した組込部分９，１０がプラスチック射出成形部分として構成されているのに対して、図６に示した組込部分２３は、１回の打ち抜き及び成形工程で金属薄板プレートから一体的に製造されている。図６に示した組込部分２３もウエブ１３を有しており、このウエブ１３は、ほぼ貫流横断面に亘って延びていて、単一方向性で配列された貫流開口１１を制限している。ウエブ１３は、外側の支持リング１２で保持されていて、この支持リング１２と共に噴流調整器ケーシング内に挿入されている。支持リング１２にはガイド突起１７が設けられており、これらのガイド突起１７は、金属薄板プレートの成形されていない区分より形成されていて、位置決め組み付け用一体成形部として用いられる。
【００５０】
図６ｅの詳細図及び図６ｃから明らかなように、単一方向性のウエブ１３のプロフィール（断面形状）は屋根状である。組込部分２３を製造するために使用される金属薄板プレートの薄板厚さは、材料の剛性及び変形可能性の必要に応じて設定されている。材料としては真鍮又はステンレス鋼が挙げられる。真鍮薄板は、良好な耐腐食性を保証するために、さらに表面処理される。
【００５１】
ウエブ１３の高さは一方では材料に応じている。つまり隣接し合うウエブ１３間で平らな金属薄板プレートの変形されていない状態でなお最大のウエブ高さとして提供される程度に設定されるが、ウエブプロフィールへの変形プロセスが行われる前に、材料ストリップ（Materialstreifen）が平らな金属薄板から打ち抜き成形される場合には、ウエブ１３の高さは減少させることができる。
【００５２】
金属薄板プレートから製造された組込部分２３は、製造コストが比較的安価であり、また機械的な高い形状安定性及び温度に対する高い耐性を有していることを特徴としている。さらにまた、高級鋼より製造された組込部分２３は、特に高い衛生的な要求が課せられる使用領域において使用することが望ましい。
【００５３】
同様に平らな金属薄板プレートから成形された環状の支持リング１２の高さは、ウエブ高さよりも大きいか又はウエブ高さと同じである。支持リング１２の高さによって、隣接し合う２つの組込部分２３の軸方向の間隔が規定され、この場合、ウエブプロフィールの側面角度に関連した軸方向の間隔が形成されるので有利であることが分かった。
【００５４】
単一方向性のウエブ１３の数は、噴流制動の要求に応じており、変えることができる。金属製の組込部分２３の組込位置の位置決めは、突起１７によって行われ、この突起１７は、平らな金属薄板プレートがこの領域で環状の円形リングに変形されないことによって形成される。
【００５５】
図７と図８とを比較すれば、単一方向性のウエブ１３の断面形成は、屋根状又はアーチ状に選択的に構成することもできることが明らかである。この場合、ウエブプロフィールの角度は、上方から衝突する噴射水をどの程度の強さで整合するかに応じて種々異なって構成することができる。噴流分解装置から送られてくる個別噴流の速度が１つの組込部分から次の組込部分に送られるのに従って次第に強く制動されるようになっている限りは、上方の組込部分２３に設けられたウエブ１３のウエブプロフィールは、後続の組込部分２３に設けられたウエブ１３と比較してより大きい傾斜角度を有している。
【００５６】
図４乃至図８の実施例においては、噴流調整器１は、安価な費用で、より簡単に製造可能な製造技術によって製造することができ、この場合、この噴流調整装置４及びその整流装置５に石灰が沈着することはない。
【図面の簡単な説明】
【図１】  噴流調整器の縦断面図である。
【図２】  図１に示した噴流調整器の流出側の端面側の平面図である。
【図３】  ａは孔付きプレートとして構成された噴流調整装置の流出側の平面図、ｂは縦断面図、ｃは流入側の平面図である。
【図４】  ａは図１及び図２に示した噴流調整装置の、流入側の第１の組込部分の縦断面図、ｂは平面図である。
【図５】  ａは流入側で第１の組込部分９に後置された組込部分１０の縦断面図、ｂは平面図である。
【図６】  ａは、打ち抜き及び成形工程によって金属薄板から製造された組込部分の、流入端面側の平面図、ｂは縦断面図、ｃは横断面図、ｄは流入端面側の拡大した詳細図、ｅは横断面の拡大した詳細図である。
【図７】  屋根状に曲げられたウエブの領域における金属製の組込部分の部分図である。
【図８】  円弧状に曲げられたウエブの領域における金属製の組込部分の部分部である。
【図１】
0004653378.tif 000002
【図２】
0004653378.tif 000003
【図３ａ】
0004653378.tif 000004
【図３ｂ】
0004653378.tif 000005
【図３ｃ】
0004653378.tif 000006
【図４ａ】
0004653378.tif 000007
【図４ｂ】
0004653378.tif 000008
【図５ａ】
0004653378.tif 000009
【図５ｂ】
0004653378.tif 000010
【図６ａ−ｅ】
0004653378.tif 000011
【図７】
0004653378.tif 000012
【図８】
0004653378.tif 000013